(57)【要約】【課題】ディスプレイ装置の画面を最適化するため、半透過式ディスプレイを駆動する方法を提供する。【解決手段】半透過式ディスプレイは複数行のデータライン３と複数列のスキャンライン２との交点に設けられる複数のピクセル１を具える。各ピクセル１はそれぞれ透過式サブピクセル１１と、反射式サブピクセル１２と、該透過式サブピクセル１１と該反射式サブピクセル１２を駆動する駆動回路を含む。該駆動方法はまず検知プロセス行い、半透過式ディスプレイの動作モードを検知し、続いて検知プロセスの結果によって駆動回路のパラメーター値を調整し、その動作モードにおける表示を最適化する。動作モードが透過式動作モードである場合、パラメーター値は透過式サブピクセルによる表示を最適化し、動作モードが反射式動作モードである場合、パラメーター値は反射式サブピクセルによる表示を最適化する。【選択図】  図１
2004226947.tif 000002
【特許請求の範囲】
【請求項１】
半透過式ディスプレイを駆動する方法であって、該半透過式ディスプレイは複数行のデータラインと複数列のスキャラインとの交点に設けられる複数のピクセルを具え、各ピクセルはそれぞれ透過式サブピクセルと、反射式サブピクセルと、該透過式サブピクセルと該反射式サブピクセルを駆動する駆動回路を含み、該駆動方法は、
検知プロセス行い、半透過式ディスプレイの動作モードを検知し、検知プロセスの結果によって駆動回路のパラメーター値を調整し、その動作モードにおける表示を最適化するなどのステップを含み、
そのうち動作モードが透過式動作モードである場合、パラメーター値は透過式サブピクセルによる表示を最適化し、動作モードが反射式動作モードである場合、パラメーター値は反射式サブピクセルによる表示を最適化することを特徴とする半透過式ディスプレイを駆動する方法。
【請求項２】
上記駆動回路は薄膜トランジスターを具え、該薄膜トランジスターはスキャンラインに接続されるゲート電極と、データラインに接続されるソース電極と、透過式サブピクセルの透過式ピクセル電極と反射式サブピクセルの反射式ピクセル電極とに接続されるドレイン電極とを含むことを特徴とする請求項１記載の半透過式ディスプレイを駆動する方法。
【請求項３】
上記半透過式ディスプレイは更に共通電極を具え、該共通電極は上記ドレイン電極と、共通電極とドレイン電極との間に介在する誘電層と保存コンデンサーを形成することを特徴とする請求項２記載の半透過式ディスプレイを駆動する方法。
【請求項４】
上記保存コンデンサーはコンタクトホールを通して透過式ピクセル電極と反射式ピクセル電極に接続されることを特徴とする請求項３記載の半透過式ディスプレイを駆動する方法。
【請求項５】
上記駆動回路は更に透過式動作モードにおける最適化パラメーター値及び反射式動作モードにおける最適化パラメーター値を保存するメモリーセルを具えることを特徴とする請求項１記載の半透過式ディスプレイを駆動する方法。
【請求項６】
上記検知プロセスは半透過式ディスプレイに設けられるセンサーを利用して動作モードを検知することを特徴とする請求項１記載の半透過式ディスプレイを駆動する方法。
【請求項７】
上記センサーはバックライトセンサーであり、上記動作モードは半透過式ディスプレイのバックライトの切り替えによって定められることを特徴とする請求項６記載の半透過式ディスプレイを駆動する方法。
【請求項８】
上記パラメーター値が共通電極の電圧値を含むことを特徴とする請求項１に記載の半透過式ディスプレイを駆動する方法。
【請求項９】
上記パラメーター値が各データラインによって送られる信号値を含むことを特徴とする請求項１記載の半透過式ディスプレイを駆動する方法。
【発明の詳細な説明】
【０００１】
【発明の属する技術分野】
この発明はディスプレイを駆動する方法に関し、特に半透過式ディスプレイを駆動する方法に関する。
【０００２】
【従来の技術】
近来電子製品の盛んなる発展にしたがって、ＭＭＩ（ｍａｎ−ｍａｃｈｉｎｅ  ｉｎｔｅｒｆａｃｅ、マン−マシン・インターフェイス）とされるディスプレイ装置の品質に対する要求も日増しに厳しくなっている。そのうち液晶ディスプレイはは軽便性、低電力消費と無輻射などの長所を持つため、市場の主力としてノートブック型コンピューター、パーソナルデジタルアシスタント（ＰＤＡ）、デジタルカメラ、携帯電話などの携帯型電子製品に広く応用されている。液晶ディスプレイは受動発光型のフラットパネルディスプレイであるため、付加光源をもって画面表示に必要な光源を提供しなければならない。付加光源の形態により、液晶ディスプレイは一般に環境光を光源とする反射式液晶ディスプレイと、バックライトモジュールを光源とする透過式液晶ディスプレイと、両者の中間型にあたる半透過式液晶ディスプレイとに分けられる。
【０００３】
半透過式液晶ディスプレイの構造はアメリカ合衆国特許第６，１９５，１４０号を参照されたい。その主な特徴は従来の液晶ディスプレイにおけるピクセルが透明導電材料によって構成される透過式サブピクセルと、金属材料によって構成される反射式サブピクセルとを分けて、ピクセル駆動回路をもって透過式サブピクセルと反射式サブピクセルとを同時に駆動する。従来の半透過式ディスプレイの透過式ピクセル電極と反射式ピクセル電極とは相違した材料で構成され、たとえば反射式ピクセル電極はアルミニウムによって形成され、透過式ピクセル電極は透明なインジウムすず酸化物によって形成されるのが一般であるため、透過式ピクセル電極と反射式ピクセル電極の駆動電圧は相違する。しかし従来の半透過式ディスプレイは単一の薄膜トランジスターのみ利用して予定の駆動電圧を送って透過式サブピクセルと反射式サブピクセルとを同時に駆動するため、透過式ピクセル電極と反射式ピクセル電極との駆動電圧の差にしたがって駆動電圧の動作パラメーターを適当に調整することができず、画面を最適化するのも不可能である。
【０００４】
【発明が解決しようとする課題】
この発明はディスプレイ装置の画面を最適化するため、半透過式ディスプレイを駆動する方法を提供することを課題とする。
【０００５】
【課題を解決するための手段】
この発明の目的によって、半透過式ディスプレイは複数行のデータラインと複数列のスキャンラインとの交点に設けられる複数のピクセルを具える。各ピクセルはそれぞれ透過式サブピクセルと、反射式サブピクセルと、該透過式サブピクセルと該反射式サブピクセルを駆動する駆動回路を含む。該駆動方法はまず検知プロセスを行い、半透過式ディスプレイの動作モードを検知し、続いて検知プロセスの結果によって駆動回路のパラメーター値を調整し、動作モードにおける表示を最適化するなどのステップを含む。そのうち動作モードが透過式動作モードである場合、パラメーター値は透過式サブピクセルによる表示を最適化し、動作モードが反射式動作モードである場合、パラメーター値は反射式サブピクセルによる表示を最適化する。
【０００６】
【発明の実施の形態】
この発明は半透過式ディスプレイを駆動する方法である。半透過式ディスプレイは複数行のデータラインと複数列のスキャンラインとの交点に設けられる複数のピクセルを具える。各ピクセルはそれぞれ透過式サブピクセルと、反射式サブピクセルと、該透過式サブピクセルと該反射式サブピクセルを駆動する駆動回路を含む。該駆動方法はまず検知プロセスを行い、半透過式ディスプレイの動作モードを検知し、続いて検知プロセスの結果によって駆動回路のパラメーター値を調整し、その動作モードにおける表示を最適化する。動作モードが透過式動作モードである場合、パラメーター値は透過式サブピクセルによる表示を最適化し、動作モードが反射式動作モードである場合、パラメーター値は反射式サブピクセルによる表示を最適化する。
かかる半透過式ディスプレイを駆動する方法の特徴を詳述するために、具体的な実施例を挙げ、図を参照して以下に説明する。
【０００７】
（第１の実施例）
図１を参照されたい。図１はこの発明による半透過式ディスプレイのピクセル領域を表わす説明図である。図１に示されるように、半透過式ディスプレイは複数列のスキャンライン２と複数行のデータライン３との交点に設けられる複数のピクセル１を具える。各ピクセル１はそれぞれ透過式サブピクセル１１と、反射式サブピクセル１２と、該透過式サブピクセル１１と該反射式サブピクセル１２を駆動するピクセル駆動回路薄膜トランジスター４とを含む。ピクセル駆動回路薄膜トランジスター４は、スキャンライン２に接続されてピクセルスイッチング／アドレッシング信号を受信するゲート電極と、データライン３に接続されてピクセル表示信号を受信するソース電極と、ピクセル１の透過式ピクセル電極（図１に透過式サブピクセル１１と重なる領域）と反射式ピクセル電極（図１に反射式サブピクセル１２と重なる領域）とに接続されるドレイン電極５とを含む。そのうちドレイン電極５と、共通電極７と、両者の間にある誘電層（図に示されない）とは保存コンデンサーＣｓを形成し、コンタクトホール６を通して透過式ピクセル電極と反射式ピクセル電極とに接続する。共通電極７は半透過式ディスプレイの上基板の表面にある対電極（ｃｏｕｎｔｅｒ  ｅｌｅｃｔｒｏｄｅ）に接続され、対電極はピクセル駆動回路薄膜トランジスター４の動作と合わせて共通電圧値ＶＣＯＭを提供して透過式ピクセル電極と反射式ピクセル電極とを駆動し、同時に保存コンデンサーＣｓを充電する。
【０００８】
図２と図３を参照されたい。図２はこの発明による半透過式ディスプレイの透過式サブピクセルの透過率Ｔと駆動電圧ＶＴとの関係を表わす説明図であり、図３はこの発明による半透過式ディスプレイの反射式サブピクセルの反射率Ｒと駆動電圧ＶＲとの関係を表わす説明図である。図２と図３に示される関係曲線によると、透過式ピクセル電極と反射式ピクセル電極の構造と材料が相違するため、透過式サブピクセルの最適化画面表示（例えば透過率Ｔが予定の標準値になる）に必要な駆動電圧ＶＴと、反射式サブピクセルの最適化画面表示（例えば反射率Ｒは予定の標準値になる）に必要な駆動電圧ＶＲとは相違する。
【０００９】
半透過式ディスプレイは動作環境の光源により透過式動作モードまたは反射式動作モードに切り替えられるため、この発明は、半透過式ディスプレイを駆動するときにはまず検知プロセスを実行して半透過式ディスプレイの動作モード（例えばバックライトが使用されるかどうか）を検知し、そして検知プロセスの結果によってピクセル駆動回路薄膜トランジスター４に送るパラメーター値を調整し、半透過式ディスプレイの動作モードによる表示を最適化する。例えば、前述の検知プロセスは半透過式ディスプレイに設けられるセンサーをもってバックライトがオンにされているかどうかを検知する。仮にバックライトがオンにされている場合、半透過式ディスプレイは透過式動作モードにあり、駆動回路はそのメモリーセルにおける透過式動作モードの最適化パラメーター値を選択してピクセル駆動回路薄膜トランジスター４に送り、透過式サブピクセル１１による表示を最適化する。反対に、仮にバックライトがオフにされている場合、半透過式ディスプレイは反射式動作モードにあり、駆動回路はそのメモリーセルにおける反射式動作モードの最適化パラメーター値を選択してピクセル駆動回路薄膜トランジスター４に送り、反射式サブピクセル１２による表示を最適化する。この発明の好ましい実施例において、前述の最適化パラメーター値は共通電極７の電圧値ＶＣＯＭと、データライン３によって送られる電流信号の強さと、各ピクセルの輝度値と、グレイスケール値と色温度値などの関連動作パラメーターである。
【００１０】
この発明による薄膜トランジスターの構造は図１に示される半透過式ディスプレイに限らず、その他の半透過式薄膜トランジスター構造、例えば二つの薄膜トランジスターをもって透過領域と反射領域とのピクセルのスイッチをそれぞれ制御し、或いは保存コンデンサーにコンデンサー・オン・ゲート構造を利用するのも、この発明の範囲内にある。
【００１１】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【００１２】
【発明の効果】
従来の半透過式ディスプレイを駆動する方法と比べ、この発明は半透過式ディスプレイを駆動するときにまず検知プロセスを実行して半透過式ディスプレイの動作モードを検知し、続いて動作モードにおける表示を最適化するパラメーター値を半透過式ディスプレイの駆動回路に送ることによって、反射モードにおける輝度値を有効に高め、ディスプレイの画面品質を有効に改善することができる。
【図面の簡単な説明】
【図１】この発明による半透過式ディスプレイのピクセル領域を表わす説明図である。
【図２】この発明による半透過式ディスプレイの透過式サブピクセルの透過率Ｔと駆動電圧ＶＴとの関係を表わす説明図である。
【図３】この発明による半透過式ディスプレイの反射式サブピクセルの反射率Ｒと駆動電圧ＶＲとの関係を表わす説明図である。
【符号の説明】
１      ピクセル
２      スキャンライン
３      データライン
４      薄膜トランジスター
５      ドレイン電極
６      コンタクトホール
７      共通電極
１１      透過式サブピクセル
１２      反射式サブピクセル
【図１】
2004226947.tif 000003
【図２】
2004226947.tif 000004
【図３】
2004226947.tif 000005